(57)【要約】【課題】機構本体の後方側の位置決めを容易に行えるようにした回胴表示装置を提供する。【解決手段】本発明による回胴表示装置は、機構本体７１に取付けられた駆動源で回転駆動する図柄表示体２を備えた図柄表示機構１が前方開放の装置躯体９２内に複数並設されて成る回胴表示装置において、機構本体は前方の上下に着脱部（上，下前機構取付部７１ｄ，７１ｂ）を備え、着脱部で機構本体７１が装置躯体９２に対して独立して装置躯体の前方開放側から着脱可能に構成され、装置躯体９２の後部には各機構本体７１に対応して装置躯体側位置決め係合部（位置決め孔１０２，係合片９５）が設けられ、機構本体の後側には機構本体側位置決め係合部（後方機構位置決め突起部７１ｘ，上後機構位置決め取付部７１ｅ）が設けられ、これら位置決め係合部が互いに係合することで機構本体７１が装置躯体９２に対して位置決めされた状態に取付けられたものとした。【選択図】        図３
2004180930.tif 000002
【特許請求の範囲】
【請求項１】
機構本体に取付けられた駆動源で回転駆動する図柄表示体を備えた図柄表示機構が前方開放の装置躯体内に複数並設されて成る回胴表示装置において、機構本体は前方の上下に着脱部を備え、着脱部で機構本体が装置躯体に対して独立して装置躯体の前方開放側から着脱可能に構成され、装置躯体の後部には各機構本体に対応して装置躯体側位置決め係合部が設けられ、機構本体の後側には機構本体側位置決め係合部が設けられ、これら位置決め係合部が互いに係合することで機構本体が装置躯体に対して位置決めされた状態に取付けられたことを特徴とする回胴表示装置。
【請求項２】
機構本体は前縁が折曲のない端面形状である前後上下方向に延長する板状ベースの後縁側に機構本体側位置決め係合部を備え、装置躯体は装置躯体の後壁に装置躯体側位置決め係合部を備えたことを特徴とする請求項１に記載の回胴表示装置。
【請求項３】
機構本体は前縁が折曲のない端面形状である前後上下方向に延長する板状ベースの上端側に機構本体側位置決め係合部を備え、装置躯体は装置躯体の上壁に装置躯体側位置決め係合部を備えたことを特徴とする請求項１又は請求項２に記載の回胴表示装置。
【発明の詳細な説明】
【０００１】
【発明の属する技術分野】
本発明はスロットマシンやパチンコ機などの遊技機に用いられる回胴表示装置に関する。
【０００２】
【従来の技術】
駆動輪と従動輪とに無端帯状の図柄表示体を巻き掛け、駆動輪をステップモータで駆動して図柄表示体を回転させるベルトタイプの回胴表示装置が知られている（例えば、特許文献１参照）。また、駆動輪の外周に無端状の図柄表示体を巻き付け、駆動輪をステップモータで駆動して図柄表示体を回転させるドラムタイプの回胴表示装置が知られている（例えば、特許文献２参照）。
【０００３】
【特許文献１】
特開２００１−２９３１２８号公報
【特許文献２】
特開平１１−２９９９６１号公報
【０００４】
【発明が解決しようとする課題】
しかしながら、特許文献１，２のいずれも、駆動輪が回転可能に取付けられる板状の機構本体（特許文献１の支持部材１２，特許文献２の支持部材５２０）の前方側が装置躯体（特許文献１の装置本体２，特許文献２のリールマウント５００）に対して取付けられるだけなので、機構本体の後方側の位置決めができない。
本発明は、機構本体の後方側の位置決めを容易に行えるようにした回胴表示装置を提供する。
【０００５】
【課題を解決するための手段】
本発明による回胴表示装置は、機構本体に取付けられた駆動源で回転駆動する図柄表示体を備えた図柄表示機構が前方開放の装置躯体内に複数並設されて成る回胴表示装置において、機構本体は前方の上下に着脱部を備え、着脱部で機構本体が装置躯体に対して独立して装置躯体の前方開放側から着脱可能に構成され、装置躯体の後部には各機構本体に対応して装置躯体側位置決め係合部が設けられ、機構本体の後側には機構本体側位置決め係合部が設けられ、これら位置決め係合部が互いに係合することで機構本体が装置躯体に対して位置決めされた状態に取付けられたものとしたので、機構本体側位置決め係合部と装置躯体側位置決め係合部との位置決め係合により、機構本体の後方側の位置決めが容易になり、装置躯体に対する図柄表示機構の組付作業が容易になる。また、位置決め係合により、機構本体の後方側の横振れを防止でき、図柄表示体を安定に回転させることができる。また、機構本体の後方側の強度も増すので、図柄表示体を安定に回転させることができる。
また、機構本体は前縁が折曲のない端面形状である前後上下方向に延長する板状ベースの後縁側に機構本体側位置決め係合部を備え、装置躯体は装置躯体の後壁に装置躯体側位置決め係合部を備えたものとしたので、位置決め係合により、前縁が折曲のない端面形状の板状ベースを有する機構本体であっても、機構本体の後方側の横振れを防止でき、機構本体の後方側の強度も向上させることができる。また、機構本体は前縁が折曲のない端面形状である前後上下方向に延長する板状ベースを有するので、回胴表示装置の横幅を小さくできる。従って、図柄表示体の図柄を大きくできて、かつ、回胴表示装置の小型化が図れる。
また、機構本体は前縁が折曲のない端面形状である前後上下方向に延長する板状ベースの上端側に機構本体側位置決め係合部を備え、装置躯体は装置躯体の上壁に装置躯体側位置決め係合部を備えたものとしたので、位置決め係合により、前縁が折曲のない端面形状の板状ベースを有する機構本体であっても、機構本体における駆動輪の駆動源が取付けられる振動源側に近い上端側と装置躯体とを結合できるので、機構本体の振動源側に近い上端側の強度を向上させることができ、図柄表示体をさらに安定に回転させることができる。
【０００６】
【発明の実施の形態】
図１から図４は本発明の実施形態を示す図であって、図１は回胴表示装置を構成する１組の図柄表示機構１を分解して示した図、図２は装置躯体９２に対する図柄表示機構１の取付態様を前側から示す斜視図、図３は装置躯体９２に対する図柄表示機構１の取付態様を後側から示す斜視図、図４は装置躯体９２に対する図柄表示機構１の取付状態を示す縦断面図である。
【０００７】
図１を参照し、図柄表示機構１について説明する。図柄表示機構１の図柄表示体２は、例えばウレタン系エラストマー（ウレタン系ゴム弾性体）または熱可塑性エラストマー（例えば、東レ・デュポン株式会社製の商品名ハイトレル（登録商標））またはポリカーボネート等の材料を主成分とした乳白色の透光性を有する帯状の両端を互いに接続したような形状の無端状に形成されたものである。図柄表示体２は、ウレタン系エラストマーまたは熱可塑性エラストマーまたはポリカーボネート等の材料を主成分とした帯状の両端を両面粘着材または溶剤系接着剤などの接着剤で互いに接続してもよいが、成形型で無端状に形成すれば、図柄表示体２の無端状の形状保持性能が高くなる。
【０００８】
図柄表示体２は、複数の種類の異なる図柄４を周方向に一定間隔または所定間隔に配置した状態で備える。図柄４がイソシアネート硬化による二液反応形の速乾性インキを用いた印刷でされれば、図柄表示体２との親和性もよく、図柄４の耐久性も向上する。図柄表示体２が透光性を有するので、図柄表示体２の内側面２ａの方向から図柄表示体２の２本の仮想線Ｌ１，Ｌ２で挟まれた図柄表示領域に投光して図柄４を照明表示することができる。
【０００９】
図柄表示体２の内側面２ａにおける図柄表示領域よりも外側に位置する両端部（周方向と直交する帯幅方向の両端の部分）には動力伝達部５を備える。動力伝達部５は凹部６と凸部７とが図柄表示体２の周方向に一定間隔で交互に連続したタイミングベルト状の形態である。凸部７は図柄表示体２の内側面２ａから図柄表示体２の径方向内側に突出し、凹部６は周方向に隣接する２つの凸部７の互いに向き合う斜面と当該２つの凸部７の間における図柄表示体２の内側面２ａとで形成される。動力伝達部５は、図柄表示体２と一緒に成形型で図柄表示体２の内側面２ａに形成すれば、図柄表示体２と動力伝達部５とが１つにまとまった単一体となり、それの一体性が増す。図柄表示体２の仮想線Ｌ１，Ｌ２で挟まれた図柄表示領域に図柄４を設け、図柄表示体２の図柄表示領域よりも外側に位置する両端部に動力伝達部５を設けたので、図柄４と動力伝達部５とが重なり合わないように領域分けされて配置されて、図柄４を表示する部分の厚さを一様とすることができ、図柄４の見栄えがよくなる。
【００１０】
駆動輪１１は、薄肉な円筒状の周壁の中央部を周方向に間欠的に中抜きされているとともに軸方向（帯幅方向）に両側に存在する円形帯状の端部１２，１２を中抜きによる残存した複数本のステー１３で互いに結合したかご形になっている。端部１２の外周面側には動力伝達部１４を有する。動力伝達部１４の凹部１５は端部１２の外周面から内部に窪み、凹部１５の軸方向外側は開放されている。動力伝達部１４の凸部１６は周方向に隣接する２つの凹部１５の互いに向き合う斜面と当該２つの凹部１５の間における端部１２の外周面とで形成される。複数のステー１３にはハブ１７が各端部１２，１２の間の中央よりも一方に片寄る位置で支持部材３により結合されている。ハブ１７の中心部には小判形の異形孔に形成されたモータ出力軸取付部１８を備える。
駆動輪１１の軸方向両端側、即ち、各端部１２，１２の外周面に、図柄表示体側係合部としての凹部６と係合する駆動輪側係合部としての複数の凸部１６を凹部１５を介して周方向に均等な間隔を隔てて設け、この互いに隣り合う凸部１６，１６間の間隔を互いに隣り合う凹部６，６間の間隔より広くした。即ち、複数の駆動輪側係合部としての各凸部１６を、均等な間隔を隔てて設けられた複数の図柄表示体側係合部としての各凹部６に対して間欠的に係合するように設けたので、駆動輪１１と図柄表示体２の凹凸係合数を少なくでき凹凸部間の係合摩擦を小さくできるので、モータの回転負荷を軽減でき、駆動輪１１を駆動するモータとして出力の小さいモータを使用できるようになる。
【００１１】
従動輪２１は、薄肉な円筒状の周壁の中央部を周方向に間欠的に中抜きされているとともに軸方向（帯幅方向）に両側に存在する円形帯状の端部２２，２２を中抜きによる残存した複数本のステー２３で互いに結合したかご形になっている。ただし、従動輪２１は、各端部２２，２２の外周面に図柄表示体側係合部としての凹部６及び凸部７に係合する凸部及び凹部を備えない構成とした。即ち、各端部２２の軸方向内側には大輪部２４を有し、この大輪部２４の軸方向外側には、この大輪部２４より若干小径で上記図柄表示体２の幅方向両側の内側面２ａに形成された図柄表示体側係合部が対応する小輪部２５を有し、従動輪２１の回転中心を中心とする真円形帯状の小輪部２５の外周面は平坦な円周面に形成されている。よって、駆動輪１１の駆動力により図柄表示体２が回転すると、図柄表示体２の内側面２ａと従動輪２１の大輪部２４の外周面との接触あるいは図柄表示体２の内側面２ａの凸部７と小輪部２５の外周面との接触により従動輪２１も回転するが、このとき、凹凸係合による係合摩擦が生じないので、モータの回転負荷を軽減でき、駆動輪１１を駆動するモータとして出力の小さいモータを使用できるようになる。尚、支持軸８２が装着される従動輪２１の軸受部２７はステー２３に連結された支持部材３Ｂで支持されている。
【００１２】
ステップモータ３１はモータ軸３２，３３がモータボディ３４の軸方向両端に突出した両軸タイプになっている。一方のモータ軸３２（モータ出力軸）は外周面が２つの平坦で平行な切欠面３２ａを有する異形であって、駆動輪１１のハブ１７から離れた端部１２の方向からモータ出力軸取付部１８に挿入されて一緒に回転するようにハブ１７に装着され、駆動輪１１が一方のモータ軸３２に一緒に回転するように結合される。
【００１３】
このように駆動輪１１と一方のモータ軸３２とが結合された場合、モータボディ３４の大半が駆動輪１１の内部に非接触な状態で取り込まれる。モータボディ３４の端部に設けられたブラケット３７の側に突出した他方のモータ軸３３がモータ取付ピース４１に形成された逃孔４２に挿入され、ブラケット３７が逃孔４２周りのモータ取付ピース４１の外側面に接触し、ブラケット３７とモータ取付ピース４１とが図外の止ねじで互いに締結されることによって、モータボディ３４とモータ取付ピース４１とが互いに結合される。
【００１４】
他方のモータ軸３３は外周面に１つの平坦な切欠面を有する異形であって、他方のモータ軸３３は小径な歯車５１の中心に形成された半円形状の異形な取付孔５２に挿入されて、他方のモータ軸３３には小径な歯車５１が一緒に回転するように装着される。モータ取付ピース４１の逃孔４２周りに固定的に取り付けられたシャフト４３には小径な歯車５１に噛み合わせられる大径な歯車６１が回転可能に装着され、大径な歯車６１よりも外側に突出したシャフト４３には図外の止輪が装着されて、大径な歯車６１がシャフト４３から抜け止めされる。
【００１５】
大径な歯車６１にはステップモータ３１の原点位置を検出するための被検出体６２が図外の止ねじで一緒に回転するように取り付けられる。シャフト４３よりも下部に形成された切欠部４４周りのモータ取付ピース４１にはステップモータ３１の原点位置を検出するための検出器６３の設けられた基板６４が図外の止ねじで取り付けられることによって、検出器６３が切欠部４４に非接触に配置される。検出器６３は他方のモータ軸３３の回転に伴い、小径な歯車５１と大径な歯車６１とを介して被検出体６２が検出器６３を非接触に通過するごとに、検出器６３がステップモータ３１の原点位置としての検出信号を図外の制御装置に出力する。
【００１６】
駆動輪１１、ステップモータ３１、小径な歯車５１、大径な歯車６１、シャフト４３、基板６４、検出器６３、被検出体６２が組み合わされたモータ取付ピース４１が縦長な土台としての板状の機構本体７１の上部に図外の止ねじで取り付けられることによって、モータ取付ピース４１が機構本体７１の上部に形成された開口部７２を閉鎖する。モータ取付ピース４１には検出器６３から延設された配線を通すための配線孔７３が開口部７２の周囲に位置するように形成される。
【００１７】
従動輪２１の軸受部２７は従動輪取付ピース８１に固定的に設けられた支持軸８２に挿入され、軸受部２７から突出した支持軸８２の端部には図外の止輪が装着され、従動輪２１が支持軸８２から抜け止めされる。
従動輪取付ピース８１はシャフト８３と複数のスライダ８４とばね係留部８５とを備える。シャフト８３が機構本体７１の下部に従動輪２１の方向に膨出するように形成された従動輪取付部７４に形成された軸受部７５に回転可能に装着されるとともに、スライダ８４およびばね係留部８５が従動輪取付部７４に形成された複数の逃孔７６に個別に挿入された後、スライダ８４に止具８６が従動輪取付ピース８１の従動輪取付部７４に対する上下方向の移動を確保するように結合されることによって、従動輪２１を回転可能に支持した従動輪取付ピース８１と従動輪取付部７４とが互いに組み付けられる。
【００１８】
その状態において、従動輪取付ピース８１のばね係留部８５と従動輪取付部７４に設けられたばね係留部７７とにコイルスプリングのようなばね７８が掛け止められることによって、ばね７８が従動輪取付ピース８１を機構本体７１の上部に取付けられた駆動輪１１との軸間隔を広げる方向に引っ張る。そして、図柄表示体２が駆動輪１１と従動輪２１とに巻き掛けられることによって、図柄表示機構１が組み立てられた形態となる。
【００１９】
そして、ステップモータ３１が電力供給で回転駆動すると、図柄表示体２がばね７８のばね力によるテンションを受けつつ図柄表示体２の動力伝達部５と駆動輪１１の動力伝達部１４との噛み合わせにより適切に回転する。
【００２０】
図１〜図４に示すように、機構本体７１は矩形状の平板から成る板状ベース７１Ａ、板状ベース７１Ａの下部から内側に折り曲げられた底壁７１ａ、底壁７１ａの前部から下方に折り曲げられた下前機構取付部７１ｂ、板状ベース７１Ａの上部前側から内側に折り曲げられた延設部７１ｃ、延設部７１ｃの前部から上方に折り曲げられた上前機構取付部７１ｄ、板状ベース７１Ａの上部後側から内側に折り曲げられた上後機構位置決め取付部７１ｅ、板状ベース７１Ａの後部から内側に折り曲げられた補強部７１ｆ、補強部７１ｆの先端の一部より後方に折り曲げられた後方機構位置決め突起部７１ｘ，７１ｘを備える。底壁７１ａおよび補強部７１ｆが互いに結合されれば、機構本体７１の強度が一層高くなる。下前機構取付部７１ｂ及び上前機構取付部７１ｄには位置決め孔７１ｇおよび取付孔７１ｈを備える。尚、板状ベース７１Ａの前縁７１０は折曲のない端面形状のものである。また、上前機構取付部７１ｄは板状ベース７１Ａの上端７１ｔより上方に設けられ、下前機構取付部７１ｂは板状ベース７１Ａの下端７１ｕより下方に設けられている。
【００２１】
組み立てられた図柄表示機構１を３個用いて構成される実施形態による回胴表示装置について説明する。図柄表示機構１を収納し得る大きさの前方左右開放状の装置躯体９２は上壁９３，後壁１０１，底壁１００で形成され、上壁９３の後部に前左右３方の切込９４を介して内側に向けて突出するように押し出された係合片９５、上壁９３の前部から上方に折り曲げられた上フランジ９６、底壁１００の前部から下方に折り曲げられた下フランジ９７、後壁１０１に形成された位置決め孔１０２、上フランジ９６及び下フランジ９７に形成された位置決め突起１０３及び取付孔１０４を備える。尚、係合片９５，位置決め孔１０２，位置決め突起１０３及び取付孔１０４は図柄表示機構１毎に対応して設けられている。
【００２２】
そして、図柄表示機構１が装置躯体９２の前方開放側から装置躯体９２の内部に挿入され、図柄表示機構１の下前機構取付部７１ｂおよび上前機構取付部７１ｄが装置躯体９２の下フランジ９７及び上フランジ９６の前側に配置され、下フランジ９７及び上フランジ９６に設けられた位置決め突起１０３，１０３と下機構取付部７１ｂおよび上前機構取付部７１ｄに形成された位置決め孔７１ｇ，７１ｇとが互いに嵌め込まれ、機構本体７１の上後機構位置決め取付部７１ｅが装置躯体９２の係合片９５と上壁９３との間に嵌め込まれて係合片９５の弾性で上後機構位置決め取付部７１ｅと上壁９３とが強固に結合され、さらに、後方機構位置決め突起部７１ｘ，７１ｘが装置躯体９２の後壁１０１に形成された位置決め孔１０２，１０２に嵌め込まれた状態で、取付孔７１ｈ，１０４を介して下機構取付部７１ｂおよび上前機構取付部７１ｄを止ねじ１０５で上フランジ９６および下フランジ９７に締結することによって、３個の図柄表示機構１が装置躯体９２に並設状態に取り付けられる。
また、機構本体７１と対象形に形成された側壁９９が機構本体７１と同様に装置躯体９２に取り付けられる。これによって、機構本体７１と装置躯体９２および側壁９９で囲まれた前方開放状の空間に３個の図柄表示機構１の図柄表示体２が並設配置された回胴表示装置となる。
【００２３】
即ち、機構本体７１は前縁７１０が折曲のない端面形状である前後上下方向に延長する板状ベース７１Ａの後縁７１１側に上下に２つの後方機構位置決め突起部７１ｘ，７１ｘ（機構本体側位置決め係合部）を備え、装置躯体９２は後壁１０１に位置決め孔１０２，１０２（装置躯体側位置決め係合部）を備え、これら位置決め係合部が互いに係合することで機構本体７１の後方側が装置躯体９２に対して位置決めされた状態に取付けられる。
また、板状ベース７１Ａの上縁７１ｔ側に上後機構位置決め取付部７１ｅ（機構本体側位置決め係合部）を備え、装置躯体９２は上壁９３に係合片９５（装置躯体側位置決め係合部）を備え、これら位置決め係合部が互いに係合することで機構本体７１の後方上端側が装置躯体９２に対して位置決めされた状態に取付けられる。
【００２４】
尚、誤差吸収のため位置決め孔７１ｇ，７１ｇのうちの１つを図２に示すように長孔にしてもよい。
また、バックライト機構２００を設け、このバックライト機構２００で図柄表示体２の内側面２ａ側から図柄４に光を投射することにより、遊技者は光で照らされた図柄４を回胴表示装置の前方に配置される図外のガラス等の透視性パネルを介して視認できる。
【００２５】
実施形態によれば、後方機構位置決め突起部７１ｘ（機構本体側位置決め係合部）と位置決め孔１０２（装置躯体側位置決め係合部）とから成る位置決め係合部、上後機構位置決め取付部７１ｅ（機構本体側位置決め係合部）と係合片９５（装置躯体側位置決め係合部）とから成る位置決め係合部を備えるので、機構本体７１の後方側の位置決めが容易になり、装置躯体９２に対する図柄表示機構１の組付作業が容易になる。
また、後方機構位置決め突起部７１ｘと位置決め孔１０２との位置決め係合により、前縁７１０が折曲のない端面形状の板状ベース７１Ａを有する機構本体７１であっても、機構本体７１の後方側の横振れを防止でき、図柄表示体２を安定に回転させることができる。また、機構本体７１の後方側の強度も増すので、図柄表示体２を安定に回転させることができる。後方機構位置決め突起部７１ｘと位置決め孔１０２との係合度合をきつくすればより強度を向上でき、図柄表示体２を安定に回転させることができる。
また、上後機構位置決め取付部７１ｅと係合片９５との位置決め係合により、前縁７１０が折曲のない端面形状の板状ベース７１Ａを有する機構本体７１であっても、機構本体７１における駆動輪のモータ（駆動源）が取付けられる振動源側に近い上端７１ｔ側と装置躯体９２の上壁９３とを係合片９５の弾性により強固に結合できるので、機構本体７１の振動源側に近い上端７１ｔ側の強度向上及び横揺れ防止を図ることができ、図柄表示体２をさらに安定に回転させることができる。
また、機構本体７１は、上下に取付部７１ｄ，７１ｂ（着脱部）を備え、この取付部７１ｄ，７１ｂを介して機構本体７１を装置躯体９２に対して独立して装置躯体９２の前方開放側から着脱できるので、装置躯体９２に対する図柄表示機構１の組付作業及び解体作業が容易になる。
また、上下の取付部７１ｄ，７１ｂには位置決め孔７１ｇ，７１ｇを備え、装置躯体９２の上下フランジ９６，９７には位置決め突起１０３，１０３を備えたので、装置躯体９２に対する機構本体７１の前方側の位置決めが容易になり、さらに組付作業が容易になる。
また、機構本体７１は前縁７１０が折曲のない端面形状の板状ベース７１Ａを備えるので、回胴表示装置の横幅を小さくできる。
また、上前機構取付部７１ｄを板状ベース７１Ａの上端７１ｔより上方に設け、下前機構取付部７１ｂを板状ベース７１Ａの下端７１ｕより下方に設けたので、図柄表示体２が収納される上下スペースを大きく取れる。よって、回胴表示装置の高さを低くできる。
従って、実施形態によれば、図柄表示体２の図柄４を大きくできて、かつ、回胴表示装置の小型化が図れる。
【００２６】
尚、実施形態では、ベルトタイプの回胴表示装置を例にして説明したが、特許文献２のようなドラムタイプの回胴表示装置にも適用でき、上記と同様の効果が得られる。
また、機構本体側位置決め係合部と装置躯体側位置決め係合部の形態は上述した形態に限らず、互いに凹凸で係合する形態であればよい。
【図面の簡単な説明】
【図１】本発明の実施形態による回胴表示装置の図柄表示機構を示す分解斜視図。
【図２】装置躯体に対する図柄表示機構の取付態様を前側から示す斜視図。
【図３】装置躯体に対する図柄表示機構の取付態様を後側から示す斜視図。
【図４】装置躯体に対する図柄表示機構の取付状態を示す縦断面図。
【符号の説明】
１  図柄表示機構、２  図柄表示体、３１  ステップモータ（モータ）、
７１  機構本体、７１Ａ  板状ベース、７１ｂ  下前機構取付部（下着脱部）、
７１ｄ  上前機構取付部（上着脱部）、
７１ｅ  上後機構位置決め取付部（機構本体側位置決め係合部）、
７１ｔ  板状ベースの上端、
７１ｘ  後方機構位置決め突起部（機構本体側位置決め係合部）、
９２  装置躯体、９３  上壁、９５  係合片（装置躯体側位置決め係合部）、
１０１  後壁、１０２  位置決め孔（装置躯体側位置決め係合部）、
７１０  板状ベースの前縁、７１１  板状ベースの後縁。
【図１】
2004180930.tif 000003
【図２】
2004180930.tif 000004
【図３】
2004180930.tif 000005
【図４】
2004180930.tif 000006